(57)【要約】【課題】  レーベル面側に対しても記録層が設けられて印画が可能な光ディスク媒体について、誤って記録面側がセットされてしまった際のデータ破壊を防止する。【解決手段】  上記光ディスク媒体に対する印画動作を行うにあたり、レーベル面側がセットされているか否かについての判別処理を行う。レーベル面側がセットされていなかった場合は印画動作を行わないようにすることで、記録面側に記録されているデータの破壊を防止することができる。【選択図】図４
2005302145.tif 000002
【特許請求の範囲】
【請求項１】
レーザ光の照射により信号の記録が行われる記録層として、第１の面に近い位置には、レーザ光の照射により再生が行われるデータについての信号記録が行われる第１の記録層が形成され、上記第１の面とは逆側となる第２の面に近い位置には、印画としての信号記録が行われる第２の記録層が形成される光ディスク媒体についての記録装置であって、
光学ヘッドからのレーザ光の照射によって上記各記録層に対する信号の記録を行う記録手段と、
上記記録手段に対する制御を行う制御手段とを備えると共に、
上記制御手段は、
上記記録手段により印画としての信号記録動作が行われる場合に応じて、上記光学ヘッドに対して上記光ディスク媒体の上記第２の面が向けられているか否かについての判別を行う判別処理と、
上記判別処理により肯定結果が得られた場合にのみ、上記第２の記録層に対する印画としての信号記録動作を実行するように上記記録手段に対する制御を行う記録制御処理と、を実行するようにされている、
ことを特徴とする記録装置。
【請求項２】
上記制御手段は、
上記判別処理により否定結果が得られた場合に応じて、上記光ディスク媒体の上記第１の面と上記第２の面との反転を促すための通知を行う反転通知処理をさらに実行する、
ことを特徴とする請求項１に記載の記録装置。
【請求項３】
さらに、外部からの電子番組ガイド情報を受信可能な受信手段を備えると共に、
上記制御手段における上記記録制御処理では、
上記受信手段によって受信された上記電子番組ガイド情報から得られるデータに基づく信号記録動作が実行されるように上記記録手段に対する制御を行う、
ことを特徴とする請求項１に記載の記録装置。
【請求項４】
レーザ光の照射により信号の記録が行われる記録層として、第１の面に近い位置には、レーザ光の照射により再生が行われるデータについての信号記録が行われる第１の記録層が形成され、上記第１の面とは逆側となる第２の面に近い位置には、印画としての信号記録が行われる第２の記録層が形成される光ディスク媒体についての記録方法であって、
印画としての信号記録動作が行われる場合に応じて、上記レーザ光を照射する光学ヘッドに対して上記光ディスク媒体の上記第２の面が向けられているか否かについての判別を行う判別処理と、
上記判別処理により肯定結果が得られた場合にのみ、上記第２の記録層に対する印画としての信号記録動作が実行されるように制御を行う記録制御処理と、
を実行することを特徴とする記録方法。
【発明の詳細な説明】
【技術分野】
【０００１】
本発明は、例えばレーベル面側に対して印画のための記録層が設けられた光ディスク媒体に対する記録を行う記録装置、及び記録方法に関する。
【背景技術】
【０００２】
【特許文献１】特開平２００３−５１１１８号公報
【０００３】
例えば、上記特許文献１では、光ディスク媒体のレーベル面側に対しても記録層を設け、そこにレーザ光を照射して記録マークを形成することによって所要の文字や画像等を印画する技術が提案されている。
すなわち、例えば図７に示すようにして、通常の再生が行われるべきデータについての記録が行われる記録層が形成された記録面側とは、逆側となるレーベル面側に対しても記録層を形成するものとしている。
このとき、レーベル面側の記録層は例えば有機色素から成るようにされており、ここにレーザ光の照射に応じて記録マークが形成された場合は、その部分の反射率が他の部分とは異なるようにされる。すなわち、このような記録マーク部分の反射率の変化を利用することで、形成した記録マーク群の形状に応じた所要の文字や画像の印画が可能となるものである。
【発明の開示】
【発明が解決しようとする課題】
【０００４】
しかしながら、このようなレーベル面側に対する印画動作としては、上記もしているようにレーザ光を照射して行うようにされるものであるから、仮に印画の際に誤って記録面側がセットされてしまうと、既に記録済みのデータが存在する場合は再生されるべきデータの破壊を招くことになる。
従って、このような印画動作を行うにあたっては、記録面側のデータ破壊を防止するための何らかの対策が講じられる必要がある。
【課題を解決するための手段】
【０００５】
そこで、本発明では以上のような問題点に鑑み、記録装置として以下のように構成することとした。
つまり、レーザ光の照射により信号の記録が行われる記録層として、第１の面に近い位置には、レーザ光の照射により再生が行われるデータについての信号記録が行われる第１の記録層が形成され、上記第１の面とは逆側となる第２の面に近い位置には、印画としての信号記録が行われる第２の記録層が形成される光ディスク媒体についての記録装置であって、先ずは光学ヘッドからのレーザ光の照射によって上記各記録層に対する信号の記録を行う記録手段を備える。
その上で、上記記録手段により印画としての信号記録動作が行われる場合に応じて、上記光学ヘッドに対して上記光ディスク媒体の上記第２の面が向けられているか否かについての判別を行う判別処理と、上記判別処理により肯定結果が得られた場合にのみ、上記第２の記録層に対する印画としての信号記録動作を実行するように上記記録手段に対する制御を行う記録制御処理とを実行するようにされた、制御手段を備えるものとした。
【０００６】
また、本発明では記録方法として以下のようにすることとした。
すなわち、レーザ光の照射により信号の記録が行われる記録層として、第１の面に近い位置には、レーザ光の照射により再生が行われるデータについての信号記録が行われる第１の記録層が形成され、上記第１の面とは逆側となる第２の面に近い位置には、印画としての信号記録が行われる第２の記録層が形成される光ディスク媒体についての記録方法であって、印画としての信号記録動作が行われる場合に応じて、上記レーザ光を照射する光学ヘッドに対して上記光ディスク媒体の上記第２の面が向けられているか否かについての判別を行う判別処理を実行する。
そして、上記判別処理により肯定結果が得られた場合にのみ、上記第２の記録層に対する印画としての信号記録動作が実行されるように制御を行う記録制御処理を実行するようにした。
【０００７】
上記本発明によれば、上記光ディスク媒体に対する印画としての信号記録動作が行われる場合において、上記第２の面側がセットされていると判別された場合にのみ印画としての信号記録動作が実行される。
【発明の効果】
【０００８】
このことから本発明によれば、印画としての信号記録動作が行われる際に、レーザ光の照射により再生が行われるデータが記録される第１の面側（例えば記録面側）が誤ってセットされた場合には、印画としての信号記録動作が行われないようにすることができる。つまり、これよって上記第１の面側に対して既にデータが記録されている場合にも、その破壊を防止することができる。
【発明を実施するための最良の形態】
【０００９】
以下、発明を実施するための最良の形態（以下実施の形態とする）について説明していく。
先ずは、本発明における実施の形態としての記録装置の内部構成について説明する。
実施の形態の記録装置としては、装填された光ディスク媒体についての再生も可能な記録再生装置としての構成が採られている。
図１に、このような実施の形態の記録再生装置１１の内部構成例を示す。
実施の形態の記録再生装置１１は、光ディスク媒体として先の図７にて説明したようなディスク１００についての記録再生を行うように構成されている。
すなわち、図７に示したようにして、再生が行われるべきデータについての記録が行われる記録面側とは逆側となるレーベル面側に対しても、例えば有機色素から成る記録層を設けるようにされているものである。
実施の形態では、このようなディスク１００がブルーレイディスク（Blu-ray Disc）とされる場合を例に挙げる。
なお、ブルーレイディスクはレーベル面がほぼ透明とされているので、先に述べたようにレーベル面側の記録層に対して印画を行った際には、印画された文字や画像等の情報の視認性が比較的高いものとなる。
【００１０】
また、実施の形態の記録再生装置１１としては、デジタル衛星放送受信機に映像記録再生機能が付加された構成が採られると共に、比較的大容量とされる映像データを大量に録画してこれらを数多く保存しておくためのＨＤＤ（ハードディスクドライブ）８６を備える。
つまり、この場合の記録再生装置１１としは、受信された放送コンテンツについての録画をＨＤＤ８６に対して行い、このように録画されたデータをディスク１００に対してコピーすることのできる、ディスクドライブ付きのハードディスクレコーダとしての構成を有するものである。
【００１１】
図１において、例えばここでは図示しない通信衛星又は放送衛星から送信されたデジタル衛星放送波は、パラボラアンテナ３ａにより受信され、記録再生装置１１のチューナ７１に供給される。この放送波には規定のフォーマットにしたがって電子番組ガイド情報のデータ（以降、ＥＰＧ(Electronic Program Guide) データという）が重畳されている。
【００１２】
放送衛星や通信衛星等によって、テレビジョン信号をデジタル信号化して伝送し、例えば各家庭においてこの放送信号を受信して視聴するデジタル衛星放送システムにおいては、例えば１５０近くあるチャンネルを確保することが可能であるため、これまでのアナログ地上波による放送と比較しても非常に多くの番組を放送することができる。
そこで、デジタル衛星放送システムでは、多くの番組のなかから所望の番組を確実に選択できるようにするために、放送番組についての情報である、電子番組ガイド（ＥＰＧ) の情報を伝送するようにしている。デジタル衛星放送受信装置側では電子番組ガイドのデータに基づいて番組ガイド表を作成して表示出力可能に構成されている。この番組ガイド表は、ＧＵＩ（Graphical User Interface）として構成されており、例えばユーザは、この番組ガイド表に対する操作を行うことで所望の番組を選局したり録画指定することができるようになっている。
【００１３】
また、周知のようにしてＥＰＧの情報によっては、例えばニュース、スポーツ、ドラマなど、ジャンルによる分類項目により番組を区分して管理できるようにしている。
このようにして、番組ごとに対応してジャンルが設定されたＥＰＧを利用することで、大量のチャンネルの中から見たいジャンルの番組を検索することができる。また、ユーザのこれまでの視聴履歴の情報等に応じて得た嗜好情報を利用することで、ユーザが嗜好するとされるジャンルの番組を自動的に録画することも可能とされている。
【００１４】
また、ＥＰＧの情報には上記のようなジャンルの情報の他にも、番組のタイトルや出演者といった番組内容に関する情報も含まれている。例えばユーザはこれら番組内容に関する情報を、上記したようにして作成される番組ガイド表に対する操作を行うことで参照することが可能とされる。
【００１５】
なお、上記受信される放送波としては、デジタル衛星放送波の他に有線放送波や地上波などの何れとされても構わない。また、受信した放送波がアナログ信号又はデジタル信号の何れとされるかによって、チューナ２部及び以降説明する各機能回路部の内部構成は適宜変更されることになる。
【００１６】
チューナ７１ は、ＣＰＵ８１の制御に基づいて、所定チャネルが存在するキャリアのチューニング、すなわち選局（キャリア選択）を行い、受信データを復調器７２に出力する。
復調器７２は、デジタル変調されている受信データを復調し、デコーダ７３に出力する。
例えばデジタル衛星放送の場合、放送波からチューナ７１により受信され、復調器７２により復調されたデジタルデータは、ＭＰＥＧ２方式で圧縮されたＡＶデータ、およびデータ放送用データが多重化されているトランスポートストリームである。ＡＶデータとは、放送コンテンツ本体を構成する映像情報および音声情報であり、データ放送用データとは、放送コンテンツ本体に付随するデータ、即ち例えば上述したＥＰＧデータ等である。
【００１７】
デコーダ７３は、復調器７２より供給されたトランスポートストリームを、ＭＰＳＧ２方式で圧縮されたＡＶデータとデータ放送用データに分離する。デコーダ７３はまた、ＭＰＥＧ２方式で圧縮されたリアルタイムＡＶデータを、圧縮映像データと圧縮音声データに分離する。
分離された音声データは、ＰＣＭ（Pulse Code Modulation ）デコードされた後、付加音と合成され、ミキサ（MUX）７５を介してスピーカ９３ に出力される。
また、分離された映像データは、伸張された後、コンポーザ７７を介してディスプレイ９４ に出力される。
ＲＡＭ７４は、デコーダ７３によるこれらの作業データを保存することができる。
スピーカ９３は、ミキサ７５より供給された音声信号を出力する。またディスプレイ９４は、コンポーザ７７より供給された映像信号を表示（再生）する。
【００１８】
デコーダ７３はまた、トランスポートストリームから分離されたデータ放送用データ（ＥＰＧデータ）を、バス７９を介してＣＰＵ８１に供給する。これによりＣＰＵ８１は、所定のアプリケーションに従って所定の処理を実行し、ＥＰＧ一覧表などの作成に利用することができる。
【００１９】
ユーザインタフェース制御部７６は、ユーザからの入力操作を処理するモジュールであり、例えばユーザにより操作ボタンまたはスイッチから構成されるリモートコマンダ９１が操作されることにより、赤外線発光部（図示せず）から発光された操作信号（IR信号）を受光部７６ａで受光し、電気信号としての入力操作信号に変換してＣＰＵ８１に出力する。
なお、もちろん装置筐体パネルに操作スイッチ等が形成され、ユーザがそのようなパネル上の操作スイッチを操作できるようにしてもよい。その場合、パネル上の操作スイッチによる操作をユーザインタフェース制御部７６が検出し、操作情報としてＣＰＵ８１に供給する。
【００２０】
グラフィック処理コントローラ７８は、ＣＰＵ８１の制御に基づいて画面を生成する専用コントローラであり、例えば、ＳＶＧＡ（Super Video Graphic Array ）または、ＸＧＡ（eXtended Graphic Array ）相当の高精細な描画機能を備えている。
このグラフィック処理コントローラ７８は、例えば、ＧＵＩ（Graphical User Interface ）操作画面、ＥＰＧ一覧画面等を描画する。
これらの描画画面データはコンポーザ７７において、放送映像等と合成され、或いは切り換えられてディスプレイ９４に出力されることで、ユーザに対して表示される。
【００２１】
通信制御部８０は、電話回線やケーブルなどによる有線の通信を制御する。この通信制御部８０を介して外部のサーバシステムと通信を行うことにより、放送コンテンツ、ＥＰＧデータ等の授受が行われる。また、通信制御部８０を介して外部の機器と通信を行うことにより、データの授受が行われる。
【００２２】
ハードディスクドライブ（ＨＤＤ）８６は、プログラムやデータなどを所定フォーマットのファイル形式で蓄積することができる、ランダムアクセスが可能な記憶装置であり、例えば数１０ＧＢ（ギガバイト）以上の大容量を備えている。
ＨＤＤ８６は、ハードディスクインタフェース８７を介してバス７９に接続されており、ＣＰＵ８１の制御に基づいて、デコーダ７３或いは通信制御部８０から供給されるデータや制御情報の記録再生が行われる。例えばＥＰＧデータ、放送コンテンツ等の記録／再生が行われる。
ＨＤＤ８６から再生された放送コンテンツ等の映像データは、コンポーザ７７を介してディスプレイ９４に供給され、映像出力される。また再生された音声データは、ミキサ７５を介してスピーカ９３に供給され、音声出力される。
【００２３】
光ディスクドライブ８５には光学ヘッドが備えられ、装填されたディスク１００に対してレーザ光の照射により信号の記録再生を行う。
この場合のディスク１００としては、上記もしているように記録面側と共にレーベル面側に対しても記録層が設けられている。この際、ディスク１００の記録面側に対しては、ＣＰＵ８１の制御に基づき、例えばＨＤＤ８６に対して録画した放送コンテンツとしての映像／音声データについての信号記録を行うようにされる。また、その再生も行うようにされる。
そして、ディスク１００のレーベル面側に対しては、ＣＰＵ８１の制御に基づき印画としての信号記録動作を行うようにされている。
なお、ここでは、ディスク１００の記録面側に対してＨＤＤ８６にて記録されたデータがコピーされる場合を例に挙げているが、チューナ７１を介して受信・復調されたコンテンツデータを直接光ディスクドライブ８５側に供給してこれを記録させることも可能である。
また、必要に応じて、放送コンテンツ以外のプログラム等をはじめとした各種のデータについても記録再生することができる。
【００２４】
光ディスクドライブ８５において、ディスク１００の記録面側に対して記録再生されるデータは、光ディスクインタフェース８４を介して接続されるバス７９を経由して転送されるようになっている。
【００２５】
ＣＰＵ８１は、記録再生装置１１の全体の動作を制御するメインコントローラであり、オペレーティングシステム（OS）により提供されるプラットフォーム上で各種のアプリケーションを実行する。
このＣＰＵ８１は、例えば先に述べたリモートコマンダ９１およびユーザインタフェース制御部７６を介して入力された操作信号に基づいて、放送受信及び出力、コンテンツの録画／再生、ＥＰＧデータを用いた放送番組管理や嗜好情報の管理、ＨＤＤ８６に記録したコンテンツ管理、グラフィック処理コントローラ７８による画面表示データ生成などのための所要の制御を実行する。
【００２６】
また、特に実施の形態では、ＨＤＤ８６に対して録画される放送コンテンツを、ＥＰＧデータに基づいて得られる番組内容の情報を対応づけて管理するための管理情報を生成するようにされる。
このような管理情報としては、例えば次の図２に示されるようにして、ＨＤＤ８６に対して録画される放送コンテンツごとに割り振ったＩＤの情報と、ＥＰＧデータから得た放送コンテンツごとの番組内容の情報とを対応づけたものとされる。
この場合、ＥＰＧデータに基づいて得られる番組内容の情報としては、図示するように番組のタイトルやメインジャンル、サブジャンル、出演者、放送日時等が挙げられる。
ＣＰＵ８１は、例えばＨＤＤ８６に対する放送コンテンツの録画にあたり、先ずはＥＰＧデータからこの放送コンテンツに対応する番組内容の情報を抽出する。そして、録画した放送コンテンツに割り振ったＩＤの情報と、このように抽出した番組内容の情報とを対応づけて記憶することで、この図に示されるような管理情報を生成する。
【００２７】
また、図１において、この場合のＣＰＵ８１は、レーベル面側に印画が可能なディスク１００に対応した実施の形態としての動作を実現するにあたって、図４、図５に示すような処理動作を実行するようにされるが、これについては後述する。
【００２８】
ＲＡＭ８２は、ＣＰＵ８１の実行プログラムをロードしたり、実行プログラムの作業データを書き込むために使用される、書き込み可能な揮発性メモリである。
ＲＯＭ８３は、記録再生装置１１の電源オン時に実行する自己診断・初期化プログラムや、ハードウェア操作用の制御コードなどを格納する読み出し専用メモリである。
また、ＲＯＭ８３としては、書き換え可能な不揮発性領域を有するようにされてもよい。この場合には、例えば先の図２に示した管理情報をこのＲＯＭ８３の不揮発性メモリとしての領域に記憶させるようにすることができる。
【００２９】
また、この場合の記録再生装置１１に対しては、外部機器１００を接続することができるようになっている。
この外部機器１００は、アンテナ１００ａにて受信した放送波について、内部のチューナ１００ｂにより受信選局を行う。ここで、チューナ１００ｂは、記録再生装置１１側のチューナ７１とは異なる放送形態による放送を受信可能な構成を採っているものとされる。例えば、チューナ７１が地上波放送を受信選局可能な構成とされているのとすれば、チューナ１００ｂは、所定の衛星放送を利用したデジタル衛星放送を受信選局可能な構成とされている。
そして、外部機器１００のチューナ１００ｂにより受信選局された信号は、記録再生装置１１の復調器７２に対して入力されるようになっている。本実施の形態の記録再生装置１１の復調器７２は、チューナ７１が対応する放送形態の受信選局信号のみではなく、外部機器１００から入力されることが想定される所定数の放送形態の受信選局信号についても復調可能な構成が採られているものである。また、復調器７２の復調処理によって、外部機器１００が受信選局する放送形態に対応するＥＰＧデータも抽出することができる。
【００３０】
なお、この図では、記録再生装置１１と接続可能な外部機器１００を１つのみであるとして示しているが、これはあくまでも、最も簡易な構成を示しているのであり、例えば実際の記録再生装置１１としては、互いに異なる放送形態の放送波を受信選局可能な複数の外部機器１００を接続できるように構成されて構わない。
また、この図では図示を省略しているが、記録再生装置１１としては、ＣＰＵ８１が外部機器１００におけるチューナ１００ｂの動作を制御できるように構成されてもよい。
【００３１】
また、ここでは光ディスクドライブ８５と共にＨＤＤ８６を備える構成を例に挙げたが、ＨＤＤ８６を備えずにディスク１００に対する記録再生のみが可能な構成としてもよい。
或いは、ディスク１００に対する記録のみが可能な構成とされてもよい。
【００３２】
上記構成による実施の形態としての記録再生装置１１では、光ディスクドライブ８５に装填されたディスク１００に対する印画としての信号記録動作を行う。以下、このような印画動作に際して行われる実施の形態としての動作について説明していく。
先ず、実施の形態では、例えばユーザによる操作入力等に応じて、ディスク１００に対する印画が行われる場合に応じて、光ディスクドライブ８５に対して装填されたディスク１００が、レーザ光を照射する光学ヘッドに対してレーベル面側が向くようにセットされているか否かについての判別を行う。
そしてこの結果、レーベル面側が向くようにセットされた場合にのみ、ディスク１００に対する印画としての信号記録動作を実行する。
また、レーベル面側がセットされていないとした場合は、例えばディスプレイ９４上に所定のメッセージを表示させて、ユーザにディスク１００の反転を促す通知を行い、レーベル面側がセットされるまで印画のための動作を行わないようにする。
これによれば、記録面側がセットされたディスク１００については印画のための信号記録動作が実行されないので、記録面側の記録層に対して既に記録データが存在する場合にもそのデータ破壊を防止することができる。
【００３３】
ところで、実施の形態の記録再生装置１１のようなディスクドライブ付きのハードディスクレコーダとしては、先ずは放送コンテンツをＨＤＤ８６に対して録り溜めし、必要なものをディスク１００に対して随時コピーするといった使用が想定されるものである。
これによると、ディスク１００に対して記録されるデータは、一度ＨＤＤ８６に対して録画されたコンテンツデータであることが想定される。
一方で、ディスク１００に対する印画を行うタイミングとしては、現状における手書き等による文字等の書き込みと同様に、ディスク１００に対するデータ記録が終了した後に行うこと一般的であると考えられる。
【００３４】
これらのことを考慮して、実施の形態では、ディスク１００に対するＨＤＤ８６からのコンテンツデータのコピー終了後にディスク１００に対する印画を行うという、一連の動作を行うものとしている。
具体的には、先ずはＨＤＤ８６からディスク１００へのコンテンツデータのコピー終了後、レーベル面側に対して印画するデータの設定のための動作を行う。そして、印画するデータが設定された場合は、ディスク１００を排出し、レーベル面側をセットするように促すための通知を行う。その上で、これに応じて装填されたディスク１００について、先に述べたようにしてそのレーベル面側がセットされたか否かについての判別を行い、レーベル面側がセットされない場合には上記したようにして反転させるように通知を行う。またレーベル面側がセットされた場合には、設定されたデータに基づいて印画動作を行うものである。
【００３５】
ここで、上記のような一連の動作においてディスク１００に対して印画するデータの設定についてであるが、実施の形態では、例えばこのようなデータをリモートコマンダ９１やユーザインタフェース制御部７６に設けられた操作ボタンを介したユーザの手動入力に基づいて設定することができるようにしている。
或いは、このような手動入力以外にも、例えば通信制御部８０を介して外部機器から所要のデータを入力することで設定できるようにしている。
さらには、受信されたＥＰＧデータを利用して設定することも可能としている。
【００３６】
ここで、特に上記のようにしてＥＰＧデータを利用して印画されるべきデータを設定する場合について説明しておくと、実施の形態では、先の図２に示したようにしてＨＤＤ８６に録画されたコンテンツデータごとに対応づけて記憶された番組内容の情報を利用するものとしている。
すなわち、上記したような一連の動作において、例えばディスク１００へのコンテンツデータのコピー終了後、このようなＥＰＧデータの利用が選択された場合は、先ずはディスク１００にコピーされたコンテンツデータのＩＤの情報を元に、図２に示した管理情報を参照する。そして、このＩＤに対応づけられた番組内容の情報を取得することで、ディスク１００にコピーされたコンテンツデータに対応する番組内容の情報を得ることができる。
その上で、このように取得された番組内容の情報から、例えば番組のタイトルや出演者といった印画のために必要な所定の項目の情報のみを抽出する。
【００３７】
そして、このように所定の項目の情報のみが抽出された番組内容の情報を用いて、例えば次の図３に示すようにして、タイトルや出演者等の情報をディスク１００のレーベル面上に配置した際のイメージデータを生成する。
この図３の例では、先の図２に示した管理情報におけるＩＤがＮＯ．３、ＮＯ．４のコンテンツデータがディスク１００にコピーされた場合に対応するイメージデータの例が示されている。
すなわち、この場合はタイトル名である「ドラマＡ」や、出演者「Ｘ、Ｙ」等の文字データを、レーベル面上における所定位置に配置したイメージデータが生成される。
なお、この際の配置の仕方は予め定められた所要の方式に従って行われればよく、ここで特に限定するものではない。
【００３８】
その上で、このように生成されたイメージデータどうりにレーベル面に対して文字等が形成されるように、実際の記録層に対する信号記録動作を行うようにされる。
例えば、このようにイメージデータに基づく印画を行う手法としては、記録層に記録されるべき「０」「１」のデータについて、上記のようなイメージデータに基づくマッピングを行うものがある。
つまり、例えば図３に示されるイメージデータにおいて、文字や数字等が形成された部分に対して記録されるべき信号は「１」、文字以外の部分が重なるところに記録されるべき信号は「０」となるようなデータ列を生成し、これに基づいて実際の記録層に対する信号の記録を行うものである。
これにより、実際のレーベル面に対して、上記のように生成したイメージデータを印画により再現することができる。
【００３９】
なお、ここではＥＰＧデータの利用が選択された際の印画データの準備処理について説明したが、先に述べた手動入力や外部入力に基づく印画データの準備処理としても、同様のイメージデータの生成、及びイメージデータに基づく記録データの生成を行うようにされる。
【００４０】
また、確認のために述べておくと、本明細書において言う「印画」とは、画像以外にも、例えば上記した番組内容情報に基づく文字、数字をはじめ、記号、イラストなど、所要の情報を目視可能な状態に記録する動作を指すものとする。
【００４１】
続いては、上記説明による実施の形態としての動作を実現するために行われるべき処理動作について、次の図４、図５のフローチャートを用いて説明する。
なお、これらの図に示される処理動作は、図１に示したＣＰＵ８１が例えばＲＯＭ８３に格納されたプログラムに従って実行するものである。
また、図４において、ここでは既に図１に示した光ディスクドライブ８５に対してディスク１００が装填されているものとする。そして、この際のディスク１００としては、その記録面側が光学ヘッド側に向くようにセットされているものとする。
【００４２】
先ず、図４において、ステップＳ１０１の処理によっては、ディスク１００へのコピー指示を監視するようにされる。
例えば、ディスク１００へのコンテンツデータのコピー指示としては、ＨＤＤ８６に保持されるコンテンツデータの一覧を表示したＧＵＩ画面において、所望のコンテンツデータを指定して行うようにされる。このステップＳ１０１では、例えばこのようなコピーすべきコンテンツデータの指定後に、そのコンテンツデータについてのディスク１００へのコピーを指示するための操作入力が行われることについて監視を行うようにされる。
そして、このようなディスク１００へのコピーを指示するための操作入力が行われた場合はステップＳ１０２に進む。
【００４３】
ステップＳ１０２においては、指定されたコンテンツのＩＤ情報を取得する。
つまり、上記のようにしてステップＳ１０１においてコピーが指示された、ＨＤＤ８６に保持されるコンテンツデータのＩＤ情報を取得するものである。
【００４４】
続くステップＳ１０３においては、ディスク１００へのコピーを開始し、ステップＳ１０４ではコピーの完了を監視する。
そして、ディスク１００へのコピーが完了した場合はステップＳ１０５に進む。
【００４５】
ステップＳ１０５においては、ディスク１００に対する印画を行うか否かについての判別処理を行う。
このようなステップＳ１０５の処理としては、図示は省略したが、先ずはグラフィック処理コントローラ７８に対する指示を行って、例えば「印画する」「印画しない」の何れかをユーザに選択させるためのＧＵＩ操作画面を生成させ、これをディスプレイ９４上に表示させる。その上で、この操作画面に対するユーザの操作入力に応じて、印画を行うか否かについての判別を行う。
例えば、ユーザにより「印画しない」が選択されて否定結果が得られた場合は、ステップＳ１１２においてＥＪＥＣＴ処理を実行する。すなわち、光ディスクドライブ８５に装填されていたディスク１００を排出するための処理を実行する。
【００４６】
一方、例えば「印画する」が選択されて肯定結果が得られた場合は、ステップＳ１０６における印画データ準備処理を実行するようにされる。
なお、このステップＳ１０６としての印画データ準備処理は、印画のためにディスク１００の記録層に対して実際に記録すべきデータを準備するための処理である。このような印画データ準備処理の詳細は後の図５にて説明するものとして、ここでは該準備処理によって記録すべきデータが得られた以降の処理動作について説明する。
【００４７】
ステップＳ１０７においては、ＥＪＥＣＴ処理を実行し、光ディスクドライブ８５に装填されていたディスク１００を排出させる。
そして、続くステップＳ１０８においては、ディスクの反転を促すための処理を実行する。すなわち、例えば「レーベル面側をセットして下さい」等のメッセージをディスプレイ９４に表示させる等して、ユーザに対してディスク１００を反転させて再度装填するように促すための通知を行う。
【００４８】
このようにして反転指示を行うと、ステップＳ１０９において、ディスク１００の装填を監視するようにされる。
そして、光ディスクドライブ８５に対して再びディスク１００が装填されたとした場合は、ステップＳ１１０において、レーベル面側がセットされたか否かについての判別処理を行う。
【００４９】
なお、このようにして装填されたディスク１００についてレーベル面側がセットされたか否かを判別するための手法としては、例えば下記に示すような各種の手法を採ることができるため、ここではその手法について特に限定はしない。
例えば、ディスク１００の記録面側の記録層は相変化膜、レーベル面側の記録層は色素変化膜から成るようにしておくことで、セットされた面に対しレーザ光を照射した結果得られる反射率の情報に基づいて判別することができる。或いは、例えばレーベル面側の記録層の所定領域に対してレーベル面側である旨の情報を記録するようにしておき、その情報の有無により判別することができる。
また、通常の記録可能ディスクに対してはＢＣＡ（Burst Cutting Area）等にコピープロテクションコードが埋め込まれているが、レーベル面側にはこれを埋め込まないようにし、その有無を判別することで行うこともできる。或いは、レーベル面側にはＢＣＡ自体を設けないようにし、その有無の判別によっても行うことができる。
【００５０】
ステップＳ１１０において、レーベル面側がセットされていないとして否定結果が得られた場合は、ステップＳ１１３におけるＥＪＥＣＴ処理を行う。そして、続くステップＳ１１４にて先のステップＳ１０８と同様のディスク反転指示を行うと、再びステップＳ１０９に進んでディスク１００の装填を監視するようにされる。
【００５１】
また、ステップＳ１１０において、レーベル面側がセットされたとして肯定結果が得られた場合は、ステップＳ１１１に進んで印画処理を実行する。つまり、ステップＳ１０６における印画データ準備処理によって生成されたデータについての信号記録動作を、光ディスクドライブ８５に実行させるものである。
【００５２】
ここで、次の図５には、ステップＳ１０６の処理として実行されるべき印画データ準備処理について示す。
先ず、このような印画データ準備処理としては、図示するステップＳ２０１〜ステップＳ２０４の処理として、ＥＰＧデータを利用するか否か、外部からのデータ取り込みを行うか否か、手動によりデータを入力するか否か、或いは印画を中止するか否かのそれぞれの判別処理が設けられる。
【００５３】
例えば、図示は省略したが、先ずはステップＳ２０１の処理として、「ＥＰＧデータを利用しますか？」等のメッセージと共に「Ｙｅｓ」「Ｎｏ」を指示入力するための操作ボタンを表示したＧＵＩ操作画面をディスプレイ９４上に表示させる。そして、このようなＧＵＩ操作画面に対して「Ｎｏ」を選択する操作が行われて、ＥＰＧデータを利用しないとして否定結果が得られた場合は、ステップＳ２０２において、同様に「外部からのデータ取り込みを行いますか？」等のメッセージと「Ｙｅｓ」「Ｎｏ」の指示入力のための操作ボタンを表示したＧＵＩ操作画面を表示させる。
そして、「Ｎｏ」が選択されて否定結果が得られた場合は、ステップＳ２０３にて「手動による入力を行いますか？」等のメッセージを表示した同様の「Ｙｅｓ」「Ｎｏ」選択のためのＧＵＩ操作画面を表示させ、「Ｎｏ」が選択されて否定結果が得られた場合は、ステップＳ２０４において「印画を中止しますか？」等のメッセージを表示した「Ｙｅｓ」「Ｎｏ」選択のためのＧＵＩ操作画面を表示させる。
ステップＳ２０４にて「Ｎｏ」が選択されて否定結果が得られた場合は、ステップＳ２０１に戻り、再びＥＰＧデータを利用するか否かについての判別処理を実行する。
【００５４】
なお、ここでは上記のようにしてＥＰＧデータの利用、外部からの取り込み、手動による入力、印画中止の各項目について、「Ｎｏ」の選択に応じて各項目を順次表示する例を挙げたが、これに代え、例えばこれらの項目を一覧表示してその中から選択させるようなＧＵＩ操作画面を表示し、その選択結果に応じて各項目に対応する以降の処理を実行するものとしてもよい。
【００５５】
そして、上記したステップＳ２０１において、例えば先のＧＵＩ操作画面における「Ｙｅｓ」ボタンに対する操作が行われて、ＥＰＧデータを利用するとして肯定結果が得られた場合は、ステップＳ２０５に進んで指定されたコンテンツデータのＩＤを認識する。
つまり、先の図４におけるステップＳ１０２の処理によって取得した、ディスク１００に対してコピーすべきとして指定されたコンテンツデータのＩＤを認識するものである。
【００５６】
指定されたコンテンツデータのＩＤを認識すると、続くステップＳ２０６では、認識されたＩＤに対応づけられたＥＰＧデータを取得する。
先にも述べたように、実施の形態ではＥＰＧデータとして図２に示したような管理情報によりコンテンツデータごとに管理される番組内容の情報を利用するようにされるので、ここでは認識したＩＤの情報を元にこの管理情報を参照し、対応する番組内容の情報を取得するようにされる。
【００５７】
そして、ステップＳ２０７においては、このように取得された番組内容の情報（ＥＰＧデータ）に基づき、イメージデータを生成するための処理を行う。
つまり、例えば先に説明したようにして、先ずは取得された番組内容の情報から所定の項目のデータのみ抽出する。そして、このように抽出したデータを例えば図１に示したグラフィック処理コントローラ７８に供給して、先の図３に示したようなディスク１００のレーベル面に印画されるべきデータをイメージしたイメージデータを生成させる。
そして、このようにイメージデータを生成させると、図示するようにステップＳ２１３に処理を進める。
なお、このステップＳ２０７を始めとして、後に説明するステップＳ２０９、Ｓ２１２において、イメージデータの生成はＣＰＵ８１が自ら行うものとしてもよい。
【００５８】
一方、先のステップＳ２０２において、例えば上記したＧＵＩ操作画面の「Ｙｅｓ」ボタンが選択されて、外部からの取り込みを行うとして肯定結果が得られた場合には、ステップＳ２０８に進んで、外部からのデータ取り込みのための処理を実行する。
つまり、例えば図１に示した通信制御部８０を介して接続される外部機器から、所要の画像データや文字データ等を取り込むための処理を実行するものである。
なお、図示は省略したが、ステップＳ２０８の処理としては、実際には外部機器との接続の確認や、取り込むべきデータをユーザに選択させるための処理等が行われるべきものである。
また、このような外部からのデータ取り込みとしては、例えば図１に示した構成に追加してカード型の半導体メモリ装置（メモリカード）についてのインタフェースを設けることにより、このメモリカードからのデータ取り込みを行うものとしてもよい。
【００５９】
ステップＳ２０８において、外部からのデータが取り込まれた場合は、ステップＳ２０９において、取り込んだデータに基づいてイメージデータを生成するための処理を行う。
つまり、取り込んだデータを、先のステップＳ２０７と同様に例えばグラフィック処理コントローラ７８に供給する等して、そのデータに基づいてレーベル面に対して印画されるべきデータについてのイメージデータを生成させるものである。
このようなステップＳ２０９の処理を実行すると、ステップＳ２１３に処理を進める。
【００６０】
また、上記したステップＳ２０３において、例えば先の「Ｙｅｓ」ボタンに対する操作が行われて、手動による入力を行うとして肯定結果が得られた場合には、ステップＳ２１０に進んでユーザにデータを入力させるための処理を実行する。
このステップＳ２０４の処理としては、例えばリモートコマンダ９１やユーザインタフェース制御部７６に設けられた操作ボタンに対する操作によって入力された文字・数字等のデータを、ディスプレイ９４上に表示させる処理を実行する。その上で、表示画面上には、入力したデータを確定するための「確定」ボタンを表示させておく。
そして、続くステップＳ２１１では、例えばこのように表示させた「確定」ボタンに対する操作が行われたか否かについての判別を行うことで、データ入力が完了したか否かについての判別処理を行う。例えば「確定」ボタンに対する操作が行われず否定結果が得られる場合は、上記したステップＳ２１０の処理を継続してユーザ操作に応じた文字等の表示を行う。
そして、例えば「確定」ボタンに対する操作が行われて肯定結果が得られた場合は、ステップＳ２１１に処理を進めて、入力されたデータに基づき、先のステップＳ２０７、Ｓ２０９と同様のイメージデータの生成処理を実行するようにされる。
このようなステップＳ２１２の処理を実行すると、ステップＳ２１３に処理を進める。
【００６１】
また、上記したステップＳ２０４において、例えば「Ｙｅｓ」ボタンを選択する操作が行われて印画を中止するとして肯定結果が得られた場合は、先の図４に示したステップＳ１１２に進んでＥＪＥＣＴ処理を実行する。これによってステップＳ１０５にて印画を行わないとして否定結果が得られた場合と同様に、コンテンツデータのコピーが完了したディスク１００を排出する動作が行われる。
【００６２】
そして、図５において、図示するステップＳ２１３の処理によっては、生成されたイメージデータに基づいたプレビュー画面を表示するための処理を実行するようにされる。つまり、先のステップＳ２０７、又はＳ２０９、或いはＳ２１２にて生成されたイメージデータをディスプレイ９４上に表示させることにより、これをユーザにプレビューさせるものである。
そして、続くＳ２１４においては、このようなプレビュー画面の表示内容（つまりイメージデータ）を確定するか否かについての判別処理を行う。
この際、例えば上記ステップＳ２１３にて生成されるプレビュー画面としては、その表示内容を確定するか否かを選択させるための「Ｙｅｓ」「Ｎｏ」ボタンと、例えば「確定しますか？」等のメッセージを表示させておくようにする。ステップＳ２１４では、このような「Ｙｅｓ」「Ｎｏ」ボタンのいずれが操作されるかに応じてイメージデータを確定するか否かについての判別を行うようにされる。
【００６３】
ステップＳ２１４において、例えば上記のような「Ｙｅｓ」ボタンが操作されたとして肯定結果が得られた場合は、ステップＳ２１７において、確定されたイメージデータに基づく記録データを生成するための処理を実行する。
つまり、記録層に記録されるべき「０」「１」のデータについて、上記のように確定されたイメージデータに基づくマッピングを行う。これによって、そのイメージデータを実際のレーベル面上に視覚イメージとして再現するための記録データ列を生成するものである。
このような記録データ列に基づき、先の図４に示したステップＳ１１１にて印画としての信号記録動作が実行されることで、確定されたイメージデータどうりの視覚イメージをレーベル面上に再現することができる。
【００６４】
また、ステップＳ２１４において、例えば上記のような「Ｎｏ」ボタンが操作されて否定結果が得られた場合は、ステップＳ２１５に進んで、ユーザにイメージデータに対する変更を加えさせるための処理を実行する。
このステップＳ２１４の処理としては、例えばプレビュー画面として表示したイメージデータ上の文字等のサイズやその配置位置等について、ユーザ操作に応じた変更を加えるようにされる。具体的には、例えばプレビュー画面上にカーソルを表示させ、このカーソルにより選択された部分についてサイズ、配置位置等についての変更を行うようにされる。
また、これと共に、このようなユーザ操作により加えられる変更に応じて、プレビュー画面の表示内容を随時変化させるようにする。
【００６５】
また、このようなイメージデータに変更を加えさせる際のプレビュー画面に対しては、内容の変更が完了したか否かを選択させるための「完了」ボタンを表示するものとされる。
続くステップＳ２１６においては、例えばこのように表示される「完了」ボタンに対する操作が行われたか否かについての判別を行うことによって、変更が完了したか否かについての判別処理を行うようにされる。
例えば「完了」ボタンに対する操作が行われず否定結果が得られる場合は、引き続き先のステップＳ２１５における変更処理を行うようにされる。
また、例えば「完了」ボタンに対する操作が行われたとして肯定結果が得られた場合は、上記したステップＳ２１７に処理を進めて、変更されたイメージデータに基づく記録データを生成するための処理を実行する。
これによって、変更されたイメージデータどうりの視覚イメージをレーベル面上に再現するための記録データを生成することができる。
【００６６】
なお、図５に示した処理動作において、ここではＥＰＧデータを利用してイメージデータを生成する際に、番組内容の情報から自動的に所定の項目を抽出するものとしたが、例えばユーザ操作に基づいて抽出すべき項目の選択が可能となるようにしてもよい。
【００６７】
また、図５では、プレビュー画面の表示後に変更を加えさせるものとしたが、例えば手動入力によるデータの利用が選択された場合等では、その利用の選択後にレーベル面をイメージしたプレビュー画面を表示し、その画面に対してデータの入力を行わせるようにしてもよい。
【００６８】
また、ＥＰＧデータの利用が選択された場合において、実施の形態の場合では、先の図２、図３を参照してわかるように、例えば同一のタイトルを有するコンテンツの複数がディスク１００にコピーされる場合にも、ディスク１００のレーベル面に対しては、タイトルのデータを１つのみ印画するものとしている。このような動作を実現するにあたっては、図５に示したステップＳ２０７の処理において、例えば以下のような処理動作を実行するものとすればよい。
図６は、このようにステップＳ２０７の処理として実行されるべき処理動作の一例について説明するためのフローチャートである。
なお、この図においては、ディスク１００にコピーすべきとして選択されたコンテンツが複数であった場合の動作について示しているものとする。また、取得されたＥＰＧデータの各項目のうちからディスク１００に印画されるべき項目として、タイトル、ジャンル、放送日時、出演者のデータのみが抽出される場合の例を示している。
図６において、ＣＰＵ８１は、図示するステップＳ３０１において、先の図５におけるステップＳ２０６にて取得されたＥＰＧデータ（番組内容情報）の内容を確認するようにされた後、ステップＳ３０２において、先ずはこれら取得された各ＥＰＧデータ内のタイトルのデータが一致しているか否かについての判別処理を行う。そして、タイトルデータが一致しているとした場合は、ステップＳ３０３において、共通となるタイトルデータを１つのみ保持するようにされる。すなわち、このように内容の一致する項目のデータについては、その１つのみを保持するものである。
また、タイトルデータが一致していないとした場合は、ステップＳ３０４にて各タイトルデータを保持するようにされる。
【００６９】
そして、以降のステップＳ３０５〜Ｓ３１３としても、同様の処理動作を、ジャンルの項目のデータについて（Ｓ３０５〜Ｓ３０７）、放送日時の項目のデータについて（Ｓ３０８〜Ｓ３１０）、出演者の項目のデータについて（Ｓ３１１〜Ｓ３１３）それぞれ行うようされる。即ち一致が認識された項目のデータについては、その１つのみを保持するようにし、一致しない項目のデータについてはそれぞれのデータを保持するようにされる。
その上で、ステップＳ３１４において、このように保持された各項目のデータに基づきイメージデータを生成するようにされる。
【００７０】
このような動作とすることで、ディスク１００に複数のコンテンツがコピーされた場合であって、これらのコンテンツのＥＰＧデータどうしで同一の内容の項目があった場合にも、その同一内容のデータがディスク１００に重複して印画されてしまうことを防止することができる。
【００７１】
以上のようにして実施の形態では、記録面側には再生が行われるべきコンテンツデータの記録が可能とされ、またレーベル面側には印画が可能なディスク１００について、印画動作を行うにあたり、装填されたディスク１００のレーベル面側がセットされているか否かについての判別処理を行うようにされる。そして、このような判別処理の結果、レーベル面側がセットされたとした場合にのみ印画としての信号記録動作が実行される。
これにより、記録面側の記録層に対して既に記録データが存在する場合にもそのデータ破壊を防止することができる。
【００７２】
また、実施の形態では、上記のような判別処理の結果、レーベル面側がセットされていないとした場合には所定のメッセージを表示する等してユーザに反転を促すようにされる。
これによれば、記録面側がセットされてしまっていることをユーザに対して通知することができ、ディスク１００を反転させてレーベル面側をセットしなければならないことを通知することができる。
【００７３】
さらに、実施の形態では、ディスク１００に対して印画されるべきデータとして、ディスク１００にコピーされるコンテンツデータに対応づけられて管理される番組内容の情報の利用が可能とされている。
このようにして、印画されるべきデータとして番組内容情報の利用が可能となれば、このような印画されるべきデータの設定にあたってのユーザの操作負担を、例えば手動によりデータの入力を行う場合よりも大幅に軽減することができる。
さらに、このように番組内容情報の利用を選択した場合は、外部からのデータ取り込みを行う場合よりも操作負担を軽減することができる。
すなわち、外部からの取り込みを行う場合は、実際には機器間の接続や、取り込むべきデータの指定・転送のための操作等、比較的多く手間が必要となるが、番組内容情報の利用を選択した場合は、その利用の選択のための操作を行った以降は記録再生装置１１内で完結する動作によって自動的に印画されるべきデータの設定が行われるので、その分ユーザの操作負担や手間を大幅に軽減することができる。
【００７４】
なお、これまでに説明してきた実施の形態では、印画されるべきデータは、ディスク１００へのコピー完了後に準備するものとした（図４ステップＳ１０６「印画データ準備処理」参照）が、例えば、ディスク１００に対してコピーするコンテンツデータの選択と併せてこのような印画データ準備処理を実行する等、ディスク１００へのコピー前に準備しておくものとしてもよい。
【００７５】
また、印画されるべきデータはＥＰＧデータに基づいて生成する場合を例に挙げたが、コンテンツデータ中の画像データに基づいて生成するものとしてもよい。
【００７６】
さらに、実施の形態では、印画としての信号記録動作はイメージデータをマッピングした結果に基づき、記録すべき信号のパターン（「０」「１」の配置）を変化させて行うものとしたが、形成するピットの幅を変化させて印画を行うように構成してもよい。
【００７７】
また、実施の形態では、放送波により受信されたコンテンツデータについて記録を行う構成を例示したが、例えばインターネット経由で受信したコンテンツデータについての記録を行う構成についても本発明を好適に適用することができる。
【００７８】
また、実施の形態ではディスク１００に対して映像及び音声によるコンテンツデータを記録する構成を例に挙げたが、例えば音声のみのコンテンツデータに対応する構成についても本発明を好適に適用できる。
また、ブルーレイディスクであるディスク１００に対応する構成を例示したが、例えばＤＶＤ（Digital Versatile Disc）系の光ディスク媒体（ＤＶＤ−Ｒ（Recordable）やＤＶＤ−ＲＷ（ReWritable）等）や、ＣＤ（Compact Disc）系の光ディスク媒体（ＣＤ−ＲやＣＤ−ＲＷ）等、他の光ディスク媒体であってレーベル面側にも記録層が設けられるものであれば本発明を好適に適用できる。
【００７９】
さらに、実施の形態ではディスク１００の記録面側、レーベル面側に各１層のみの記録層が設けられる場合を例に挙げたが、それぞれ複数の記録層が設けられてもよい。
特に、レーベル面側に複数の記録層を設ける場合は、記録マークの形成により各層で異なる色を発色するように構成しておくことで、カラーによる印画を行うことも可能である。
【図面の簡単な説明】
【００８０】
【図１】本発明における実施の形態としての記録装置の内部構成例について示したブロック図である。
【図２】実施の形態の記録装置内に格納される管理情報の構造例を示したデータ構造図である。
【図３】光ディスク媒体の第２の面側に印画されるべきデータについてのイメージデータを例示した図である。
【図４】実施の形態の記録装置において実行されるべき処理動作について説明するための図である。
【図５】実施の形態の記録装置において実行されるべき印画データ準備処理について説明するための図である。
【図６】実施の形態の記録装置において実行されるべき処理動作について説明するための図である。
【図７】実施の形態で用いる光ディスク媒体の構造例について説明するための図である。
【符号の説明】
【００８１】
３ａ  アンテナ、１１  記録再生装置、７１  チューナ、７２  復調器、７３  デコーダ、７４  ＲＡＭ、７５  ミキサ、７６  ユーザインタフェース制御部、７７  コンポーザ、７８  グラフィック処理コントローラ、７９  バス、８０  通信制御部、８１  ＣＰＵ、８２  ＲＡＭ、８３  ＲＯＭ、８４  光ディスクインタフェース、８５  光ディスクドライブ、８６  ＨＤＤ、８７  ＨＤＤインタフェース、９１  リモートコマンダ、９３  スピーカ、９４  ディスプレイ、１００  ディスク
【図１】
2005302145.tif 000003
【図２】
2005302145.tif 000004
【図３】
2005302145.tif 000005
【図４】
2005302145.tif 000006
【図５】
2005302145.tif 000007
【図６】
2005302145.tif 000008
【図７】
2005302145.tif 000009